(57)【要約】【課題】見易い表示装置及び電子装置を提供する。【解決手段】実施形態によれば、表示装置は、スイッチ液晶部と、表示部と、制御部と、を備える。スイッチ液晶部は、第１、第２スイッチ素子を含む。表示部は、スイッチ液晶部に重ねられる。制御部は、第１期間に第１動作を実施し、第１期間の後の第２期間に第２動作を実施する。第１動作は、第１スイッチ素子に第１電圧値を有する第１信号を供給する動作と、第２スイッチ素子に第１電圧値とは異なる第２電圧値を有する第２信号を供給する動作と、を含む。第２動作は、第１スイッチ素子に切り替え後信号を供給する動作と、第２期間中の第１供給開始時刻と第１電圧値とを有する第３信号を第２スイッチ素子に供給する動作と、を含む。切り替え後信号は、第１供給開始時刻とは異なる第２供給開始時刻、及び、第１電圧値と第２電圧値とは異なる第３電圧値の少なくともいずれかを有する。【選択図】図１
2016065893.tif 000002
【特許請求の範囲】
【請求項１】
第１スイッチ素子と第２スイッチ素子とを含むスイッチ液晶部と、
前記スイッチ液晶部に重ねられた表示部と、
第１期間に第１動作を実施し、前記第１期間の後の第２期間に第２動作を実施する制御部と、
を備え、
前記第１動作は、
前記第１スイッチ素子に第１電圧値を有する第１信号を供給する動作と、
前記第２スイッチ素子に前記第１電圧値とは異なる第２電圧値を有する第２信号を供給する動作と、
を含み、
前記第２動作は、
前記第１スイッチ素子に切り替え後信号を供給する動作と、
前記第２期間中の第１供給開始時刻と前記第１電圧値とを有する第３信号を前記第２スイッチ素子に供給する動作と、
を含み、
前記切り替え後信号は、
前記第１供給開始時刻とは異なる第２供給開始時刻、及び、
前記第１電圧値と前記第２電圧値とは異なる第３電圧値
の少なくともいずれかを有する表示装置。
【請求項２】
前記第３電圧値は前記第１電圧値と前記第２電圧値との間であり、前記第２電圧値は前記第１電圧値よりも大きく、前記第３電圧値は前記第１電圧値よりも大きい請求項１記載の表示装置。
【請求項３】
前記第１スイッチ素子及び前記第２スイッチ素子は、透過状態と、前記透過状態よりも透過率の低い非透過状態とを切り替え可能とし、
前記第１スイッチ素子は、前記第１動作において前記透過状態とされ、前記第２動作において前記非透過状態とされ、
前記第２スイッチ素子は、前記第１動作において前記非透過状態とされ、前記第２動作において前記透過状態とされる請求項２記載の表示装置。
【請求項４】
前記第１スイッチ素子は、前記第２期間の後の第３期間において、前記第３電圧値よりも高い第４電圧値を有する第４信号が供給される請求項１〜３のいずれか１つに記載の表示装置。
【請求項５】
前記第４電圧値は、前記第２電圧値である請求項４記載の表示装置。
【請求項６】
前記第２供給開始時刻は、前記第１供給開始時刻よりも後である請求項１記載の表示装置。
【請求項７】
前記第２動作において、前記第１スイッチ素子には、前記第２電圧値を有する前記切り替え後信号が供給される請求項６記載の表示装置。
【請求項８】
前記第１スイッチ素子及び前記第２スイッチ素子は、透過状態と、前記透過状態よりも透過率の低い非透過状態とを切り替え可能とし、
前記第１スイッチ素子は、前記第１動作において前記非透過状態とされ、前記第２動作において前記透過状態とされ、
前記第２スイッチ素子は、前記第１動作において前記透過状態とされ、前記第２動作において前記非透過状態とされる請求項２記載の表示装置。
【請求項９】
請求項１〜８のいずれか１つに記載の表示装置を備えた電子装置。
【発明の詳細な説明】
【技術分野】
【０００１】
本発明の実施形態は、表示装置及び電子装置に関する。
【背景技術】
【０００２】
裸眼により立体画像を視認可能な表示装置がある。例えば、液晶素子等の素子を用いた視差バリア方式の表示装置がある。ヘッドトラッキング技術を採用することで、観視者の位置に応じて、適正な画像が提供される。表示装置において、見易さの向上が求められる。
【先行技術文献】
【特許文献】
【０００３】
【特許文献１】特開２０１３−２４９５７号公報
【発明の概要】
【発明が解決しようとする課題】
【０００４】
本発明の実施形態は、見易い表示装置及び電子装置を提供する。
【課題を解決するための手段】
【０００５】
本発明の実施形態によれば、表示装置は、スイッチ液晶部と、表示部と、制御部と、を備える。前記スイッチ液晶部は、第１スイッチ素子と第２スイッチ素子とを含む。前記表示部は、前記スイッチ液晶部に重ねられる。前記制御部は、第１期間に第１動作を実施し、前記第１期間の後の第２期間に第２動作を実施する。前記第１動作は、前記第１スイッチ素子に第１電圧値を有する第１信号を供給する動作と、前記第２スイッチ素子に前記第１電圧値とは異なる第２電圧値を有する第２信号を供給する動作と、を含む。前記第２動作は、前記第１スイッチ素子に切り替え後信号を供給する動作と、前記第２期間中の前記第１供給開始時刻と前記第１電圧値とを有する第３信号を前記第２スイッチ素子に供給する動作と、を含む。前記切り替え後信号は、前記第１供給開始時刻とは異なる第２供給開始時刻、及び、前記第１電圧値と前記第２電圧値とは異なる第３電圧値の少なくともいずれかを有する。
【図面の簡単な説明】
【０００６】
【図１】第１の実施形態に係る表示装置を例示するブロック図である。
【図２】第１の実施形態に係る表示装置の一部を例示する模式的断面図である。
【図３】第１の実施形態に係る表示装置の一部を例示する模式的断面図である。
【図４】第１の実施形態に係る表示装置の一部を例示する回路図である。
【図５】図５（ａ）及び図５（ｂ）は、第１の実施形態に係る表示装置の動作を例示する模式図である。
【図６】図６（ａ）〜図６（ｃ）は、第１の実施形態に係る表示装置の動作を例示する模式図である。
【図７】図７（ａ）〜図７（ｄ）は、第１の実施形態に係る表示装置の透過率特性を例示する図である。
【図８】第１の実施形態に係る表示装置の一部を例示する模式図である。
【図９】図９（ａ）〜図９（ｄ）は、第１の実施形態に係る表示装置の応答特性を例示する図である。
【図１０】第１の実施形態に係る表示装置の電圧特性を例示する図である。
【図１１】第１の実施形態に係る表示装置の透過率特性を例示する図である。
【図１２】第１の実施形態に係る表示装置の一部を例示する模式図である。
【図１３】第１の実施形態に係る表示装置のスイッチ動作を例示する図である。
【図１４】図１４（ａ）及び図１４（ｂ）は、第１の実施形態に係る表示装置の一部を例示する模式図である。
【図１５】第１の実施形態に係る表示装置の輝度特性を例示する図である。
【図１６】第２の実施形態に係る表示装置のスイッチ動作を例示する図である。
【図１７】第２の実施形態に係る表示装置の透過率特性を例示する図である。
【図１８】第２の実施形態に係る表示装置の輝度特性を例示する図である。
【図１９】第３の実施形態に係る表示装置の一部を例示する模式図である。
【図２０】第３の実施形態に係る表示装置のスイッチ動作を例示する図である。
【図２１】第４の実施形態に係る表示装置のスイッチ動作を例示する図である。
【図２２】第５の実施形態に係る電子装置を例示する模式図である。
【図２３】第５の実施形態に係る他の電子装置を例示する模式図である。
【図２４】第５の実施形態に係る更に他の電子装置を例示する模式図である。
【図２５】第５の実施形態に係る更に他の電子装置を例示する模式図である。
【図２６】第５の実施形態に係る更に他の電子装置を例示する模式図である。
【図２７】第５の実施形態に係る更に他の電子装置を例示する模式図である。
【発明を実施するための形態】
【０００７】
以下に、本発明の各実施の形態について図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。  
また、本明細書と各図において、既出の図に関して前述したものと同様の要素には、同一の符号を付して、詳細な説明を適宜省略することがある。
【０００８】
（第１の実施形態）
図１は、第１の実施形態に係る表示装置を例示するブロック図である。  
表示装置１００には、例えば、記憶部１５と、バックライト２０と、表示部３０と、スイッチ液晶部４０と、制御部５０と、撮像部６０と、が設けられる。表示装置１００においては、例えば、液晶バリアを用いたパララックスバリア方式の立体視が可能である。表示装置１００においては、裸眼で立体視を行うことができる。
【０００９】
制御部５０は、例えば、ＣＰＵ(Central Processing Unit)と、ＲＡＭ(Random Access Memory)と、ＲＯＭ(Read Only Memory)と、を含む。制御部５０は、表示部３０と、スイッチ液晶部４０と、のそれぞれの動作を制御する。制御部５０は、表示部３０に表示制御信号を供給する。制御部５０は、スイッチ液晶部４０にスイッチ制御信号を供給する。例えば、表示部３０及びスイッチ液晶部４０は、互いに同期して動作する。制御部５０は、外部から供給される映像信号に基づいて、バックライト２０にバックライト制御信号を供給しても良い。
【００１０】
バックライト２０は、表示部３０に向けて光を出射する。バックライト２０の光源には、例えば、ＬＥＤ（Light Emitting Diode）が用いられる。バックライト２０の光源として、ＣＣＦＬ(Cold Cathode Fluorescent Lamp)を用いても良い。
【００１１】
スイッチ液晶部４０は、複数の素子を含む。素子は、スイッチ動作を行う。スイッチ動作においては、透過状態と、透過状態よりも透過率が低い非透過状態と、を切り替える。スイッチ液晶部４０は、素子として液晶を用いた液晶バリアである。スイッチ液晶部４０は、観視者の位置に応じて動作する。素子に電極が設けられ、電極に印加する電圧を変更することで、素子のスイッチ動作が制御される。電圧に応じて液晶の配向が制御され、観視者の位置の変化に応じて、透過状態と、非透過状態と、が切り替えられる。素子の例については、後述する。
【００１２】
表示部３０は、スイッチ液晶部４０に重ねられる。表示部３０は、視差画像を含む表示光を出射する。表示部３０として、例えば、液晶ディスプレイ（ＬＣＤ：Liquid Crystal Display）が用いられる。表示部３０は、液晶表示素子によりバックライト２０から出射された光を変調することで、表示を行う。表示部３０として、有機ＥＬディスプレイ（ＯＥＬＤ:Organic Elecrtro Luminescence Display）を用いても良い。
【００１３】
撮像部６０は、例えば、ＣＣＤ(Charge Coupled Device)などの撮像素子を含む。撮像部６０は、表示装置１００の表示を見る観視者を撮像し、観視者の画像を取得する。制御部５０では、撮像部６０で取得した画像に基づいて、観視者の位置（角度）を算出する。表示装置１００は、観視者の顔を認識する顔認識機能を有しても良い。これにより、画像中の観視者の特定が容易になる。
観視者の位置として、例えば、観視者と表示装置１００との間の相対的な角度を用いても良い。例えば、表示装置１００の表示画面の基準点における表示画面の法線と、観視者と、の間の角度を、観視者の位置として用いても良い。観視者の位置として、表示画面を含む平面に観視者の位置を投影した点と、表示画面の基準点と、の間の距離を用いても良い。
【００１４】
記憶部１５としては、例えば、ＥＥＰＲＯＭ（Electrically Erasable Programmable Read-Only Memory）などの不揮発性のメモリが用いられる。記憶部１５に、表示装置１００の制御に必要なデータやプログラムなどが格納される。
【００１５】
図２は、第１の実施形態に係る表示装置の一部を例示する模式的断面図である。  
図２は、バックライト２０、表示部３０及びスイッチ液晶部４０を例示している。
この例では、スイッチ液晶部４０、表示部３０、バックライト２０の順に重ねられる。バックライト２０から出射された光は、表示部３０及びスイッチ液晶部４０を介して観視者に到達する。表示部３０、スイッチ液晶部４０、バックライト２０の順に重ねられてもよい。
【００１６】
図３は、第１の実施形態に係る表示装置の一部を例示する模式的断面図である。  
図３は、バックライト２０、表示部３０及びスイッチ液晶部４０を例示している。  
表示部３０とスイッチ液晶部４０とは接着層５１を介して接着される。接着層５１には、例えば、光学弾性樹脂が用いられる。表示部３０とスイッチ液晶部４０とは光学的ロスがないように接着される。表示部３０は、ＴＦＴ(Thin Film Transistor)基板３１ａと、画素電極３１ｂと、第１液晶層３２と、第１対向電極３３ｄと、カラーフィルタ３３ｃと、対向基板３３ｂと、第１偏光板３３ａと、第２偏光板３４と、を含む。ＴＦＴ基板３１ａと対向基板３３ｂとの間に第１液晶層３２が設けられる。ＴＦＴ基板３１ａと第１液晶層３２との間に、画素電極３１ｂが設けられる。対向基板３３ｂと第１液晶層３２との間に第１対向電極３３ｄが設けられる。対向基板３３ｂと第１対向電極３３ｄとの間にカラーフィルタ３３ｃが設けられる。第１偏光板３３ａと第２偏光板３４との間に、ＴＦＴ基板３１ａ、第１液晶層３２、第１対向電極３３ｄ、カラーフィルタ３３ｃ及び対向基板３３ｂが設けられる。
【００１７】
スイッチ液晶部４０は、第３偏光板４１と、第１基板４２と、第２対向電極４３と、第２液晶層４４と、透明電極４５と、第２基板４６と、第４偏光板４８と、を含む。第３偏光板４１と第４偏光板４８との間に第１基板４２が設けられる。第４偏光板４８と第１基板４２との間に第２基板４６が設けられる。第１基板４２と第２基板４６との間に第２液晶層４４が設けられる。第１基板４２と第２液晶層４４との間に透明の第２対向電極４３が設けられる。第２基板４６と第２液晶層４４との間に透明電極４５が設けられる。第２対向電極４３と、透明電極４５と、それらの間の液晶層４４と、が１つの素子４７に対応する。第３偏光板４１と第４偏光板４８との間に、第１基板４２、第２対向電極４３、第２液晶層４４、透明電極４５及び第２基板４６が設けられる。この例では、第１偏光板３３ａと第４偏光板４８との間に接着層５１が設けられる。なお、第１偏光板３３ａ及び第４偏光板４８のいずれか一方を省略してもよい。
【００１８】
図４は、第１の実施形態に係る表示装置の一部を例示する回路図である。  
図４は、表示部３０の画素の回路を例示している。  
画素７０は、ＴＦＴ素子Ｔｒと、液晶素子ＬＣと、を含む。ＴＦＴ素子Ｔｒは、例えば、ＭＯＳ−ＦＥＴ(Metal Oxide Semiconductor Field Effect Transistor)である。ＴＦＴ素子Ｔｒのゲートが走査線ＧＣＬに接続される。ＴＦＴ素子Ｔｒのソースが画素信号線ＳＧＬに接続される。液晶素子ＬＣの一端が、ＴＦＴ素子Ｔｒのドレインに接続される。液晶素子ＬＣの他端が、対向電極３３ｄに接続される。
【００１９】
図５（ａ）及び図５（ｂ）は、第１の実施形態に係る表示装置の動作を例示する模式図である。  
これらの図は、スイッチ液晶部４０のスイッチ動作（ヘッドトラッキング動作）を例示している。
表示部３０においては、例えば、左眼用画像を表示する左眼用画素Ｌと、右眼用画像を表示する右眼用画素Ｒと、が交互に配置される。
スイッチ液晶部４０は、非透過状態の複数の素子４７を含む非透過素子群４０ａと、透過状態の複数の素子４７を含む透過素子群４０ｂと、を含む。「ＬＲＬＲ」のときは、「ＬＲ」で１周期となる。「ＬＬＲＲＬＬＲＲ」のときは、「ＬＬＲＲ」で１周期となる。透過素子群４０ｂに設けられる素子４７の数は３以上であることが好ましい。これにより、細かな移動ができ、自然な表示が実施できる。
【００２０】
スイッチ液晶部４０には、図５（ａ）に示すように、非透過素子群４０ａと、透過素子群４０ｂとが配置される。この配置によれば、観視者８０の左眼が表示部３０の左眼用画素Ｌを見ることができる。本例のスイッチ液晶部４０は、可変式の視差バリアであり、透過状態と、非透過状態とを切り替えるスイッチ動作を行う複数の素子を含む。観視者８０の移動に応じて、非透過素子群４０ａの位置と、透過素子群４０ｂの位置とが変化する。図５（ａ）の例では、素子４０ｂ１は、透過素子群４０ｂに含まれる。素子４０ａ１は、非透過素子群４０ａに含まれる。
【００２１】
図５（ｂ）に示すように、観視者８０の移動により、観視者８０の左眼が図中の矢印８１の向きに移動する。観視者８０の左眼が表示部３０の左眼用画素Ｌを視認できるように、スイッチ液晶部４０に含まれる複数の素子４７のスイッチ動作が制御される。図５（ａ）においては素子４０ｂ１は透過状態であり、図５（ｂ）においては素子４０ｂ１は非透過状態に変更される。図５（ａ）においては素子４０ａ１は非透過状態であり、図５（ｂ）においては素子４０ａ１は透過状態に変更される。
【００２２】
制御部５０は、撮像部６０により観視者８０の位置に関する情報（観視者８０の画像）を取得し、取得した情報に基づいて、スイッチ液晶部４０に含まれる複数の素子４７のそれぞれに、スイッチ動作を実施させる。これにより、観視者８０の位置が移動した場合に、観視者８０は適正に立体視を認識することができる。
【００２３】
図６（ａ）〜図６（ｃ）は、第１の実施形態に係る表示装置の動作を例示する模式図である。  
これらの図は、表示装置１００に対して観視者が移動する様子を例示している。  
表示装置１００の所定位置に、撮像部６０が設けられている。観視者８０と、表示装置１００の表示画面１０１と、の間の距離を距離Ｄとする。観視者８０は、この距離Ｄ離れた位置において、表示装置１００の表示画面１０１と水平な方向（図中矢印８１の方向）に移動する。観視者８０の位置としては、例えば、表示装置１００の表示画面１０１の基準点における表示画面１０１の法線と、観視者８０と、の間の角度を、用いても良い。表示画面１０１の基準点とは、例えば、表示画面１０１の水平及び垂直方向の中心である。
【００２４】
撮像部６０は、観視者８０の画像を撮像する。制御部５０は、撮像部６０で撮像した観視者８０の画像に基づき上記の観視角度θ（位置）を算出する。制御部５０は、観視者８０の観視角度θ（位置）の変化に応じて、スイッチ液晶部４０に含まれる複数の素子のそれぞれにスイッチ動作を実施させる。
【００２５】
図７（ａ）〜図７（ｄ）は、第１の実施形態に係る表示装置の透過率特性を例示する図である。  
図７（ａ）はスイッチ液晶部４０における透過率特性を示す。  
図中、縦軸は透過率Ｔｒ（％）、横軸は時間ｔ（ｍｓ）である。  
図７（ｂ）〜図７（ｄ）はスイッチ液晶部４０の一部を示す。  
透過率特性９１は、スイッチ液晶部４０が図７（ｂ）の状態にあるときの透過率特性である。透過率特性９２は、スイッチ液晶部４０が図７（ｃ）の状態にあるときの透過率特性である。透過率特性９３は、スイッチ液晶部４０が図７（ｄ）の状態にあるときの透過率特性である。
【００２６】
図７（ｂ）〜図７（ｄ）において、スイッチ液晶部４０は、素子１〜素子８を含み、素子１〜素子８のそれぞれには透明電極が接続される。素子１〜素子８のそれぞれは、透明電極へ印加する電圧を制御することにより、透過状態（透過）と、非透過状態（遮光）と、が切り替えられる。なお、電圧を印加することを単に電圧ＯＮという。電圧を印加しないことを単に電圧ＯＦＦという。電圧ＯＦＦは、０（Ｖ）の電圧を印加することと同義である。
【００２７】
液晶の表示方式には、ノーマリホワイトと、ノーマリブラックと、がある。ノーマリホワイトは、スイッチ液晶部４０の素子が電圧ＯＦＦで透過、電圧ＯＮで遮光となる。ノーマリホワイトでは、電圧が印加されていないときに、透過率が最大となり、電圧が印加されたときに、透過率が最小となる。ノーマリブラックは、スイッチ液晶部４０の素子が電圧ＯＦＦで遮光、電圧ＯＮで透過となる。ノーマリブラックでは、電圧が印加されていないときに、透過率が最小となり、電圧が印加されたときに、透過率が最大となる。本実施形態はノーマリホワイトの場合である。
【００２８】
図７（ｂ）において、素子１、素子７及び素子８は電圧ＯＮにより遮光とされる。素子２〜素子６は電圧ＯＦＦにより透過とされる。観視者８０が上述の図６（ａ）〜図６（ｃ）に示すように例えば左から右に移動する。スイッチ液晶部４０は、観視者８０の移動に応じて、スイッチ動作を行う。具体的には、素子２を電圧ＯＦＦから電圧ＯＮに制御し、透過から遮光に切り替える。素子７を電圧ＯＮから電圧ＯＦＦに制御し、遮光から透過に切り替える。これにより、スイッチ液晶部４０の液晶開口位置を、図中左から右へ、素子１つ分シフトさせる。なお、液晶開口とは、素子の液晶が透過状態にあることをいう。液晶開口位置とは、透過状態の素子の位置である。
【００２９】
液晶の応答は、一般的に、電圧を印加するほうが早く応答する。ノーマリホワイトの場合、過程で説明すると、透過から遮光のほうが、遮光から透過よりも早く応答する。ノーマリブラックの場合、遮光から透過のほうが、透過から遮光よりも早く応答する。この例のノーマリホワイトでは、図７（ｃ）に示すように、素子２（透過から遮光）のほうが、素子７（遮光から透過）よりも早く応答する。素子７は、図７（ｄ）に示すように、素子２よりも遅れて応答する。素子７の応答が遅いため、図７（ａ）の透過率特性９２に示すように、スイッチ液晶部４０の透過率が一時的に落ちる。このため、画面が暗くなり、見易さが低減してしまう。
【００３０】
図８は、第１の実施形態に係る表示装置の一部を例示する模式図である。  
第１期間Ｔ１において、スイッチ液晶部４０には、素子１〜素子５が図中右から左へ配列されている。素子１〜素子４は電圧ＯＦＦで透過とされ、素子５は電圧ＯＮで遮光とされる。第２期間Ｔ２において、観視者８０の移動に応じて、スイッチ液晶部４０の液晶開口位置が図中右から左へ素子１つ分シフトする。素子１は、電圧ＯＦＦから電圧ＯＮに制御され、透過から遮光に切り替わる。素子５は、電圧ＯＮから電圧ＯＦＦに制御され、遮光から透過に切り替わる。
【００３１】
図９（ａ）〜図９（ｄ）は、第１の実施形態に係る表示装置の応答特性を例示する図である。  
図９（ａ）は図８の素子５に印加される電圧特性を示す。  
図９（ｂ）は図８の素子１に印加される電圧特性を示す。  
図中、横軸は時間ｔ、縦軸は電圧Ｖを示す。  
図９（ｃ）は素子１及び素子５の透過率特性を示す。  
図中、横軸は時間ｔ、縦軸は透過率Ｔｒを示す。透過率特性９４は素子５の透過率特性、透過率特性９５は素子１の透過率特性を示す。  
図９（ｄ）はスイッチ液晶部４０の透過率特性を示す。  
図中、横軸は時間ｔ、縦軸は透過率Ｔｒを示す。透過率特性９６はスイッチ液晶部４０全体の透過率特性を示す。  
【００３２】
図９（ａ）において、素子５は、時刻ｔａで電圧ＯＮから電圧ＯＦＦに制御され、遮光から透過に切り替わる。図９（ｂ）において、素子１は、時刻ｔａで電圧ＯＦＦから電圧ＯＮに制御され、透過から遮光に切り替わる。このとき、液晶の応答時間の違いにより、素子１と素子５とは同時に切り替わらない。つまり、図９（ｃ）に示すように、透過から遮光の液晶バリア（スイッチ液晶部４０に相当）が早く応答し（素子１の透過率特性９５を参照）、遮光から透過の液晶バリアが遅れて応答する（素子５の透過率特性９４を参照）。このため、図９（ｄ）の透過率特性９６に示すように、スイッチ液晶部４０全体の透過率が一時的に落ちて、輝度が低下する。
【００３３】
図１０は、第１の実施形態に係る表示装置の電圧特性を例示する図である。  
図中、応答時間ｔｏｆｆ（ｍｓｅｃ）は図８の素子５が電圧ＯＦＦで遮光から透過への切り替えにかかる時間、応答時間ｔｏｎ（ｍｓｅｃ）は図８の素子１が電圧ＯＮで透過から遮光への切り替えにかかる時間を示す。  
素子１及び素子５には、例えば、５（Ｖ）が印加される。ここでは、スイッチ液晶部４０に含まれる素子には全て同じ電圧が印加される。素子１及び素子５に５（Ｖ）が印加される場合、素子５の応答時間ｔｏｆｆは、素子１の応答時間ｔｏｎよりも長い。これより、素子５の応答は、素子１の応答よりも遅れることが分かる。
【００３４】
図１１は、第１の実施形態に係る表示装置の透過率特性を例示する図である。  
図中、縦軸は透過率Ｔｒ（％）、横軸は時間ｔ（ｍｓ）を示す。透過率特性９７は印加電圧を３（Ｖ）としたときの透過率特性、透過率特性９８は印加電圧を５（Ｖ）としたときの透過率特性を示す。
【００３５】
図１０及び図１１において、素子１及び素子５への印加電圧を例えば３（Ｖ）にした場合、応答時間ｔｏｆｆ（３８．８ｍｓ）及び応答時間ｔｏｎ（３７．４ｍｓ）がほぼ同じになる。このため、印加電圧を３（Ｖ）に下げることで、印加電圧を５（Ｖ）とした場合よりも輝度変化が抑制される。
【００３６】
ヘッドトラッキング用の液晶バリアは、観視者の移動に応じて、液晶開口位置を切り替える。このとき、遮光から透過へ切り替わる素子と、透過から遮光へ切り替わる素子とが同時に存在する。素子に用いる液晶は、ノーマリホワイトの場合、遮光から透過への応答が、透過から遮光への応答よりも遅い。このため、本願発明者の検討によると、片方の応答が遅い場合に、液晶バリアの開口数が一時的に変化し、観視者に輝度のばたつきとして認識されることが分かった。このため、見易さが低減してしまう。
【００３７】
これに対して、遮光から透過への応答時間と、透過から遮光への応答時間と、をほぼ同じにすることが考えられる。例えば、上述の図１０及び図１１で説明したように、印加電圧を下げる方法がある。  
しかしながら、一般に印加電圧を下げると、中間調となり、コントラストが出難い。ノーマリホワイトの場合、クロストークが悪化する可能性がある。ノーマリブラックの場合、立体視表示の輝度が下がる可能性がある。
【００３８】
一般的に、液晶バリアは、白と黒しか必要ないため、電圧のオン／オフの２値を持っていればよい。応答をそろえるには、電圧を例えば３Ｖ（液晶の特性にもよるので、場合によって値は異なる）にする。このとき、コントラストが低下し、クロストークが悪化する場合がある。そこで、上述のように切り替える透過部の端に応答が同じとなるような電圧を設定する。これにより、コントラストの低下を抑制できる。例えば、電極を、１４個の非透過部と、４個の透過部と、で構成する。実施形態によれば、電圧を合わせる素子部は両端の２個で良い。このため、光学特性の劣化がある部分は、２個で済むので劣化が少なくなる。また、位置が両端であるため、クロストークの影響を抑制できる。また、クロストークと透過部の数との関係をグラフにとると、クロストークはある値の範囲で最適値をとる。例えば、透過部が２〜６個で最適となる。これより、透過部を２〜４個に設定することで、クロストークの影響を抑制できる。
【００３９】
図１２は、第１の実施形態に係る表示装置の一部を例示する模式図である。  
スイッチ液晶部４０は、第１素子１１１と、第２素子１１２と、を含む。制御部５０は、第１期間Ｔ１に第１動作と、第１期間Ｔ１の後の第２期間Ｔ２に第２動作とを実施する。なお、第１素子１１１は第１スイッチ素子に相当する。第２素子１１２は第２スイッチ素子に相当する。
【００４０】
第１動作では、第１期間Ｔ１において、第１素子１１１に第１電圧を有する第１信号を供給する動作と、第２素子１１２に第１電圧値とは異なる第２電圧値を有する第２信号を供給する動作と、が実施される。本例では、第１信号はＳ１、第１電圧値はＶ１、第２信号はＳ２、第２電圧値はＶ２とする。第１素子１１１には第１信号Ｓ１が供給され、第２素子１１２には第２信号Ｓ２が供給される。第１電圧値Ｖ１は例えば０（Ｖ）であり、第２電圧値Ｖ２は例えば５（Ｖ）である。第１動作では、第１素子１１１が第１信号Ｓ１（電圧０（Ｖ）、電圧ＯＦＦ）で透過状態とされ、第２素子１１２が第２信号Ｓ２（電圧５（Ｖ）、電圧ＯＮ）で非透過状態とされる。スイッチ液晶部４０は、矢印１１３の方向に液晶開口位置を切り替える。
【００４１】
第２動作では、第２期間Ｔ２において、第１素子１１１に切り替え後信号ＣＳを供給する動作と、第２期間Ｔ２中の第１供給開始時刻ｔ１１と第１電圧値Ｖ１を有する第３信号Ｓ３を第２素子１１２に供給する動作と、が実施される。第２動作では、第１素子１１１が切り替え後信号ＣＳで非透過状態とされ、第２素子１１２が第３信号Ｓ３で透過状態とされる。本例の場合、第２素子１１２は、第３信号Ｓ３が有する第１電圧値Ｖ１が例えば０（Ｖ）である。このため、第１供給開始時刻ｔ１１にて電圧ＯＦＦとされる。なお、切り替え後信号ＣＳは、第１供給開始時刻ｔ１１にて第１素子１１１に供給される。
【００４２】
本実施形態では、切り替え後信号ＣＳは、第１電圧値Ｖ１と、第２電圧値Ｖ２とは異なる第３電圧値Ｖ３を有する。第３電圧値Ｖ３は、第１電圧値Ｖ１と第２電圧値Ｖ２との間の値である。第２電圧値Ｖ２は第１電圧値Ｖ１よりも大きく、第３電圧値Ｖ３は第１電圧値Ｖ１よりも大きい。例えば、第１電圧値Ｖ１＝０（Ｖ）、第２電圧値Ｖ２＝５（Ｖ）、第３電圧値Ｖ３＝３（Ｖ）とする。なお、これら電圧値は一例であり、これらに限定されるものではない。
【００４３】
第１素子１１１は、第１動作において電圧ＯＦＦで透過とされ、第２動作において電圧ＯＮで遮光とされる。第２素子１１２は、第１動作において電圧ＯＮで遮光とされ、第２動作において電圧ＯＦＦで透過とされる。このとき、第２素子１１２の液晶の応答時間ｔｏｆｆ（Ｖ２からＶ１）は、図１０の例では４３．８（ｍｓ）である。第１素子１１１の液晶の応答時間ｔｏｎ（Ｖ１からＶ３）は、図１０の例では３７．４（ｍｓ）である。
【００４４】
本実施形態では、液晶応答の遅い第２素子１１２（遮光から透過）の応答時間ｔｏｆｆに合わせて、液晶応答の早い第１素子１１１（透過から遮光）の応答時間ｔｏｎを長くする。具体的には、第１素子１１１に印加する電圧を下げることで、液晶の応答時間ｔｏｎを長くする。第１素子１１１の液晶の応答時間ｔｏｎと、第２素子１１２の液晶の応答時間ｔｏｆｆとをほぼ同じにすることが望ましい。つまり、透過から遮光に切り替わるときの応答時間と、遮光から透過に切り替わるときの応答時間とを略同じにする。これにより、輝度変化を抑制し、見易さを向上することができる。
【００４５】
ここで、前述したように、印加電圧を下げると、ノーマリホワイトの場合にはクロストークが悪化する可能性がある。従って、第１素子１１１は、第２期間Ｔ２の後の第３期間Ｔ３において、第３電圧値Ｖ３よりも高い第４電圧値Ｖ４を有する第４信号Ｓ４が供給されることが望ましい。第４電圧値Ｖ４は、例えば、第２電圧値Ｖ２である。これにより、クロストークの悪化を防止することができる。
【００４６】
なお、第１電圧値Ｖ１＝０（Ｖ）、第２電圧値Ｖ２＝３（Ｖ）、第３電圧値Ｖ３＝３（Ｖ）としてもよい。この場合、第２素子１１２の液晶の応答時間ｔｏｆｆ（Ｖ２からＶ１）は、図１０の例では３８．８（ｍｓ）である。第１素子１１１の液晶の応答時間ｔｏｎ（Ｖ１からＶ３）は、図１０の例では３７．４（ｍｓ）である。
【００４７】
図１３は、第１の実施形態に係る表示装置のスイッチ動作を例示する図である。  
第１素子１１１には、第１期間Ｔ１において、第１電圧値Ｖ１を有する第１信号Ｓ１が供給され、透過状態とされる。第１素子１１１には、第２期間Ｔ２中の第１供給開始時刻ｔ１１において、第３電圧値Ｖ３を有する切り替え信号ＣＳが供給（電圧ＯＮ）され、透過から遮光へ切り替えられる。
【００４８】
第２素子１１２には、第１期間Ｔ１において、第２電圧値Ｖ２を有する第２信号Ｓ２が供給され、遮光状態とされる。第２素子１１２には、第２期間Ｔ２中の第１供給開始時刻ｔ１１において、第１電圧値Ｖ１を有する第３信号Ｓ３が供給（電圧ＯＦＦ）され、遮光から透過へ切り替えられる。本例の場合、第２素子１１２は、第１素子１１１よりも、液晶応答が遅い。このため、第２素子１１２は、電圧ＯＦＦされても、すぐに遮光から透過へは切り替わらない。
【００４９】
前述の図１２で説明したように、本実施形態では、第１素子１１１への印加電圧を下げることで、第１素子１１１における透過から遮光への切り替えを遅くする。これにより、第１素子１１１における透過から遮光に切り替わるときの応答時間と、第２素子１１２における遮光から透過に切り替わるときの応答時間と、を略同じにする。
【００５０】
本実施形態によれば、電圧を変化させることで、輝度変化を抑制し、見易さを向上することができる。なお、図１２及び図１３では、２つの素子を例示して説明したが、３つ以上の素子の場合であってもよい。
【００５１】
図１４（ａ）及び図１４（ｂ）は、第１の実施形態に係る表示装置の一部を例示する模式図である。  
図１４（ａ）において、スイッチ液晶部４０には、素子１〜素子７が設けられている。第１期間Ｔ１では、素子１〜５に、第１信号Ｓ１（例えば、Ｖ１＝０（Ｖ））が供給され、素子６、７に、第２信号Ｓ２（例えば、Ｖ２＝５（Ｖ））が供給される。これにより、素子１〜５が透過、素子６、７が遮光となる。第２期間Ｔ２では、素子１に第２信号Ｓ２が供給され、素子１が透過から遮光に切り替えられる。素子６に第１信号Ｓ１が供給され、素子６が遮光から透過に切り替えられる。これにより、素子１、７が遮光、素子２〜６が透過となる。
【００５２】
上記において、液晶の応答特性により、遮光から透過への切り替えが、透過から遮光への切り替えよりも遅れる。つまり、素子６が素子１よりも遅れて応答する。このため、輝度変化が認識されてしまう。
【００５３】
これに対して、図１４（ｂ）のスイッチ動作を実施する。第１期間Ｔ１では、素子１〜５に、第１信号Ｓ１（例えば、Ｖ１＝０（Ｖ））が供給され、素子６、７に、第２信号Ｓ２（例えば、Ｖ２＝５（Ｖ））が供給される。これにより、素子１〜５が透過、素子６、７が遮光となる。第２期間Ｔ２では、素子１に、切り替え後信号ＣＳ（例えば、Ｖ３＝３（Ｖ））が供給され、素子１が透過から遮光に切り替えられる。素子６に、第３信号Ｓ３（例えば、Ｖ１＝０（Ｖ））が供給され、素子６が遮光から透過に切り替えられる。なお、素子２〜５には第１信号Ｓ１が供給される。素子７には第２信号Ｓ２が供給される。
【００５４】
上記において、素子１に印加する電圧を下げることで、素子１における透過から遮光への切り替えを遅くする。これにより、素子１における透過から遮光に切り替わるときの応答時間と、素子６における遮光から透過に切り替わるときの応答時間と、を略同じにすることができる。
【００５５】
図１５は、第１の実施形態に係る表示装置の輝度特性を例示する図である。  
図１５は、図１４（ｂ）のスイッチ動作を行ったときのスイッチ液晶部４０の輝度特性を示す。  
図中、縦軸は相対輝度Ｂｒ（％）、横軸は時間ｔ（ｍｓ）を示す。
このように、素子１の応答時間と、素子６の応答時間と、を略同じにすることで、輝度変化を抑制できることが分かる。
【００５６】
このように、本実施形態によれば、３つ以上の素子を用いた場合であっても、輝度変化を抑制し、見易さを向上させることができる。
【００５７】
（第２の実施形態）
図１６は、第２の実施形態に係る表示装置のスイッチ動作を例示する図である。  
本実施形態では、第２期間Ｔ２に実施される第２動作（図１２を参照）において、第１素子１１１に、切り替え後信号ＣＳを供給する第２供給開始時刻ｔ１２を遅くする。具体的には、第２供給開始時刻ｔ１２は、第１供給開始時刻ｔ１１よりも後である。第２動作において、第１素子１１１には、第２電圧値Ｖ２を有する切り替え後信号ＣＳが供給されることが望ましい。第２電圧値Ｖ２は例えば５（Ｖ）である。本実施形態では、電圧の変化ではなく、電圧の印加タイミングの変化により、第１素子１１１における透過から遮光への切り替えを遅くする。
【００５８】
前述したように、第２素子１１２は、第１素子１１１よりも、液晶応答が遅い。第２素子１１２は、第１供給開始時刻ｔ１１で電圧ＯＦＦされた後、遮光から透過に切り替わるまでに遅延時間Ｘ１（ｍｓ）を要する。従って、切り替え後信号ＣＳを第１素子１１１に供給する第２供給開始時刻ｔ１２を、第１供給開始時刻ｔ１１から遅延時間Ｘ１後ろにずらした時点とする。これにより、第１素子１１１における透過から遮光に切り替わるときのタイミングと、第２素子１１２における遮光から透過に切り替わるときのタイミングと、を略同じにできる。
【００５９】
図１７は、第２の実施形態に係る表示装置の透過率特性を例示する図である。  
図中、縦軸は透過率（％）、横軸は時間（ｍｓ）を示す。透過率特性１１４は図１６の遅延時間Ｘ１が０（ｍｓ）のときの透過率特性である。透過率特性１１５は図１６の遅延時間Ｘ１が１０（ｍｓ）のときの透過率特性である。透過率特性１１６は図１６の遅延時間Ｘ１が１４（ｍｓ）のときの透過率特性である。透過率特性１１７は図１６の遅延時間Ｘ１が２０（ｍｓ）のときの透過率特性である。
【００６０】
図１８は、第２の実施形態に係る表示装置の輝度特性を例示する図である。  
図１８は、遅延時間Ｘ１が０（ｍｓ）、１０（ｍｓ）、１４（ｍｓ）、２０（ｍｓ）のそれぞれにおける輝度の変化の割合（％）を示す。なお、「上」とは、図１７の透過率特性１１４〜１１７で上に凸になっている部分を示す。「下」とは、図１７の透過率特性１１４〜１１７で下に凸になっている部分を示す。
【００６１】
本実施形態によれば、電圧印加のタイミングを変化させることで、第１の実施形態と同様に、輝度変化を抑制し、見易さを向上することができる。さらに、本実施形態によれば、電圧を変化させないため、クロストークの悪化等を防止することができる。
【００６２】
なお、第１の実施形態における電圧の変化と、第２の実施形態における電圧印加タイミングの変化とを組み合わせて実施してもよい。
【００６３】
（第３の実施形態）
図１９は、第３の実施形態に係る表示装置の一部を例示する模式図である。  
スイッチ液晶部４０は、第１素子１２１と、第２素子１２２と、を含む。制御部５０は、第１期間Ｔ１に第１動作と、第１期間Ｔ１の後の第２期間Ｔ２に第２動作とを実施する。なお、第１素子１２１は第１スイッチ素子に相当する。第２素子１２２は第２スイッチ素子に相当する。本実施形態はノーマリブラックの場合である。
【００６４】
第１動作では、第１期間Ｔ１において、第１素子１２１に第１電圧値を有する第１信号を供給する動作と、第２素子１２２に第１電圧値とは異なる第２電圧値を有する第２信号を供給する動作と、が実施される。本例では、第１信号はＳ１、第１電圧値はＶ１、第２信号はＳ２、第２電圧値はＶ２とする。第１素子１２１には第１信号Ｓ１が供給され、第２素子１２２には第２信号Ｓ２が供給される。第１電圧値Ｖ１は例えば０（Ｖ）であり、第２電圧値Ｖ２は例えば５（Ｖ）である。第１動作では、第１素子１２１が第１信号Ｓ１（電圧０（Ｖ）、電圧ＯＦＦ）で非透過状態とされ、第２素子１２２が第２信号Ｓ２（電圧５（Ｖ）、電圧ＯＮ）で透過状態とされる。スイッチ液晶部４０は、矢印１２３の方向に液晶開口位置を切り替える。
【００６５】
第２動作では、第２期間Ｔ２において、第１素子１２１に切り替え後信号ＣＳを供給する動作と、第２期間Ｔ２中の第１供給開始時刻ｔ１１と第１電圧値Ｖ１とを有する第３信号Ｓ３を第２素子１２２に供給する動作と、が実施される。第２動作では、第１素子１２１が切り替え後信号ＣＳで透過状態とされ、第２素子１２２が第３信号Ｓ３で非透過状態とされる。第２素子１２２は、第３信号Ｓ３が有する第１電圧値Ｖ１が例えば０（Ｖ）である。このため、第１供給開始時刻ｔ１１にて電圧ＯＦＦとされる。切り替え後信号ＣＳは、第１供給開始時刻ｔ１１にて第１素子１２１に供給される。
【００６６】
本実施形態では、切り替え後信号ＣＳは、第１電圧値Ｖ１と、第２電圧値Ｖ２とは異なる第３電圧値Ｖ３である。第３電圧値Ｖ３は、第１電圧値Ｖ１と第２電圧値Ｖ２との間の値である。第２電圧値Ｖ２は第１電圧値Ｖ１よりも大きく、第３電圧値Ｖ３は第１電圧値Ｖ１よりも大きい。例えば、第１電圧値Ｖ１＝０（Ｖ）、第２電圧値Ｖ２＝５（Ｖ）、第３電圧値Ｖ３＝３（Ｖ）とする。なお、これら電圧値は一例であり、これらに限定されるものではない。
【００６７】
第１素子１２１は、第１動作において電圧ＯＦＦで遮光とされ、第２動作において電圧ＯＮで透過とされる。第２素子１２２は、第１動作において電圧ＯＮで透過とされ、第２動作において電圧ＯＦＦで遮光とされる。
【００６８】
本実施形態では、液晶応答の遅い第２素子１２２（透過から遮光）の応答時間ｔｏｆｆに合わせて、液晶応答の早い第１素子１２１（遮光から透過）の応答時間ｔｏｎを長くする。具体的には、第１素子１２１に印加する電圧を下げることで、液晶の応答時間ｔｏｎを長くする。第１素子１２１の液晶の応答時間ｔｏｎと、第２素子１２２の液晶の応答時間ｔｏｆｆとをほぼ同じにすることが望ましい。つまり、透過から遮光に切り替わるときの応答時間と、遮光から透過に切り替わるときの応答時間とを略同じにする。これにより、輝度変化を抑制し、見易さを向上することができる。
【００６９】
なお、第１素子１２１は、第２期間Ｔ２の後の第３期間Ｔ３において、第３電圧値Ｖ３よりも高い第４電圧値Ｖ４を有する第４信号Ｓ４が供給されることが望ましい。第４電圧値Ｖ４は、例えば、第２電圧値Ｖ２である。
【００７０】
図２０は、第３の実施形態に係る表示装置のスイッチ動作を例示する図である。  
第１素子１２１には、第１期間Ｔ１において、第１電圧値Ｖ１を有する第１信号Ｓ１が供給され、遮光状態とされる。第１素子１２１には、第２期間Ｔ２中の第１供給開始時刻ｔ１１において、第３電圧値Ｖ３を有する切り替え信号ＣＳが供給（電圧ＯＮ）され、遮光から透過へ切り替えられる。
【００７１】
第２素子１２２には、第１期間Ｔ１において、第２電圧値Ｖ２を有する第２信号Ｓ２が供給され、透過状態とされる。第２素子１２２には、第２期間Ｔ２中の第１供給開始時刻ｔ１１において、第１電圧値Ｖ１を有する第３信号Ｓ３が供給（電圧ＯＦＦ）され、透過から遮光へ切り替えられる。本例の場合、第２素子１２２は、第１素子１２１よりも、液晶応答が遅い。このため、第２素子１２２は、電圧ＯＦＦされても、すぐに透過から遮光へは切り替わらない。
【００７２】
前述の図１９で説明したように、本実施形態では、第１素子１２１への印加電圧を下げることで、第１素子１２１における遮光から透過への切り替えを遅くする。これにより、第１素子１２１における遮光から透過に切り替わるときの応答時間と、第２素子１２２における透過から遮光に切り替わるときの応答時間と、を略同じにする。
【００７３】
本実施形態によれば、電圧を変化させることで、第１の実施形態と同様に、輝度変化を抑制し、見易さを向上することができる。なお、図１９及び図２０では、２つの素子を例示して説明したが、３つ以上の素子の場合であってもよい。
【００７４】
（第４の実施形態）
図２１は、第４の実施形態に係る表示装置のスイッチ動作を例示する図である。  
本実施形態では、第２期間Ｔ２に実施される第２動作（図１９を参照）において、第１素子１２１に、切り替え後信号ＣＳを供給する第２供給開始時刻ｔ１２を遅くする。具体的には、第２供給開始時刻ｔ１２は、第１供給開始時刻ｔ１１よりも後である。第２動作において、第１素子１２１には、第２電圧値Ｖ２を有する切り替え後信号ＣＳが供給されることが望ましい。第２電圧値Ｖ２は例えば５（Ｖ）である。本実施形態では、電圧の変化ではなく、電圧の印加タイミングの変化により、第１素子１２１における遮光から透過への切り替えを遅くする。
【００７５】
第２素子１２２は、第１素子１２１よりも、液晶応答が遅い。第２素子１２２は、第１供給開始時刻ｔ１１で電圧ＯＦＦされた後、透過から遮光に切り替わるまでに遅延時間Ｘ２（ｍｓ）を要する。従って、切り替え後信号ＣＳを第１素子１２１に供給する第２供給開始時刻ｔ１２を、第１供給開始時刻ｔ１１から遅延時間Ｘ２後ろにずらした時点とする。これにより、第１素子１２１における遮光から透過に切り替わるときのタイミングと、第２素子１２２における透過から遮光に切り替わるときのタイミングと、を略同じにできる。
【００７６】
本実施形態によれば、電圧印加のタイミングを変化させることで、第３の実施形態と同様に、輝度変化を抑制し、見易さを向上することができる。さらに、本実施形態によれば、電圧を変化させないため、立体視表示のときの輝度変化等を防止することができる。
【００７７】
なお、第３の実施形態における電圧の変化と、第４の実施形態における電圧印加タイミングの変化とを組み合わせて実施してもよい。
【００７８】
（第５の実施形態）
図２２は、第５の実施形態に係る電子装置を例示する模式図である。  
電子装置には、前述の各実施形態における表示装置が設けられる。電子装置は、液晶ディスプレイとして例示される。液晶ディスプレイは、映像表示画面部５１０と、フロントパネル５１１と、フィルターガラス５１２と、を含む。
【００７９】
図２３は、第５の実施形態に係る他の電子装置を例示する模式図である。  
電子装置は、デジタルカメラとして例示される。デジタルカメラは、表示部５２２と、メニュースイッチ５２３と、シャッターボタン５２４と、を含む。
【００８０】
図２４は、第５の実施形態に係る更に他の電子装置を例示する模式図である。  
電子装置は、ビデオムービーカメラとして例示される。ビデオムービーカメラは、本体部５３１と、レンズ５３２と、スタート／ストップスイッチ５３３と、表示部５３４と、を含む。
【００８１】
図２５は、第５の実施形態に係る更に他の電子装置を例示する模式図である。  
電子装置は、ノート型のパーソナルコンピュータ（ノートＰＣ）として例示される。ノートＰＣは、本体５４１と、キーボード５４２と、表示部５４３と、を含む。
【００８２】
図２６は、第５の実施形態に係る更に他の電子装置を例示する模式図である。  
電子装置は、携帯電話機として例示される。携帯電話機は、上側筐体５５１と、下側筐体５５２と、ディスプレイ５５４と、を含む。
【００８３】
図２７は、第５の実施形態に係る更に他の電子装置を例示する模式図である。  
電子装置は、スマートフォンまたはタブレットとして例示される。スマートフォンまたはタブレットは、筐体５６１と、表示部５６２と、を含む。
【００８４】
実施形態によれば、見易い表示装置及び電子装置が提供できる。
【００８５】
以上、具体例を参照しつつ、本発明の実施の形態について説明した。しかし、本発明は、これらの具体例に限定されるものではない。例えば、表示装置に含まれるスイッチ液晶部、表示部、制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００８６】
本発明の実施の形態として上述した表示装置を基にして、当業者が適宜設計変更して実施し得る全ての表示装置も、本発明の要旨を包含する限り、本発明の範囲に属する。
【００８７】
本発明の思想の範疇において、当業者であれば、各種の変更例及び修正例に想到し得るものであり、それら変更例及び修正例についても本発明の範囲に属するものと了解される。  
例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００８８】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００８９】
１〜８…素子、 １５…記憶部、 ２０…バックライト、 ３０…表示部、 ３１ａ…ＴＦＴ基板、 ３１ｂ…画素電極、 ３２…第１液晶層、 ３３ａ…第１偏光板、 ３３ｂ…対向基板、 ３３ｃ…カラーフィルタ、 ３３ｄ…第１対向電極、 ３４…第２偏光板、 ４０…スイッチ液晶部、 ４０ａ…非透過素子群、 ４０ｂ…透過素子群、 ４１…第３偏光板、 ４２…第１基板、 ４３…第２対向電極、 ４４…第２液晶層、 ４５…透明電極、 ４６…第２基板、 ４７…素子、 ４８…第４偏光板、 ５０…制御部、 ５１…接着層、 ６０…撮像部、 ７０…画素、 ８０…観視者、 ８１、１１３、１２３…矢印、 ９１〜９８…透過率特性、 １００…表示装置、 １０１…表示画面、 １１１、１２１…第１素子、 １１２、１２２…第２素子、 １１４〜１１７…透過率特性、 ５１０…映像表示画面部、 ５１１…フロントパネル、 ５１２…フィルターガラス、 ５２２…表示部、 ５２３…メニュースイッチ、 ５２４…シャッターボタン、 ５３１…本体部、 ５３２…レンズ、 ５３３…ストップスイッチ、 ５３４…表示部、 ５４１…本体、 ５４２…キーボード、 ５４３…表示部、 ５５１…上側筐体、 ５５２…下側筐体、 ５５４…ディスプレイ、 ５６１…筐体、 ５６２…表示部
【図１】
2016065893.tif 000003
【図２】
2016065893.tif 000004
【図３】
2016065893.tif 000005
【図４】
2016065893.tif 000006
【図６】
2016065893.tif 000007
【図７】
2016065893.tif 000008
【図８】
2016065893.tif 000009
【図９】
2016065893.tif 000010
【図１０】
2016065893.tif 000011
【図１１】
2016065893.tif 000012
【図１２】
2016065893.tif 000013
【図１３】
2016065893.tif 000014
【図１４】
2016065893.tif 000015
【図１５】
2016065893.tif 000016
【図１６】
2016065893.tif 000017
【図１７】
2016065893.tif 000018
【図１８】
2016065893.tif 000019
【図１９】
2016065893.tif 000020
【図２０】
2016065893.tif 000021
【図２１】
2016065893.tif 000022
【図２２】
2016065893.tif 000023
【図２３】
2016065893.tif 000024
【図２４】
2016065893.tif 000025
【図２５】
2016065893.tif 000026
【図２６】
2016065893.tif 000027
【図２７】
2016065893.tif 000028
【図５】
2016065893.tif 000029